【事件の表示】
　特許第３４５５６６９号に関する訂正審判事件について、次のとおり審決する。
【結　論】
　特許第３４５５６６９号に係る明細書を本件審判請求書に添付された訂正明細書のとおり訂正することを認める。
【理　由】
第１　手続の経緯　
　本件訂正審判の請求に係る特許第３４５５６６９号は、平成１０年２月９日に出願であって、その請求項１及び２に係る発明は、平成１５年７月２５日に特許権の設定登録がなされ、その後、平成２６年１１月１０日に本件訂正審判が請求されたものである。
　
　
第２　請求の趣旨
　本件訂正審判の請求の趣旨は、特許第３４５５６６９号の明細書（以下「本件特許明細書」という。）を本件審判請求書に添付した訂正明細書のとおり請求項ごとに訂正することを認める、との審決を求めるものである。
　
　
第３　訂正の内容
　本件訂正審判の請求に係る訂正（以下「本件訂正」という。）の内容は次のとおりである。（下線は訂正箇所を示す。）
（１）訂正事項１
　　特許請求の範囲の請求項１に「スタータの受片にて壁パネルの下端部を支持して成ること」とあるのを、「スタータの受片にて壁パネルの下端部を支持し
、スタータのバックアップ片と家屋構造部との間にバックアップ材を装填し
　
（２）訂正事項２
　　願書に添付した明細書の段落【０００６】に記載された「スタータ１５の受片９にて壁パネルＡの下端部を支持して成ること」とあるのを、「スタータ１５の受片９にて壁パネルＡの下端部を支持し
、スタータ１５のバックアップ片１４と家屋構造部１２との間にバックアップ材２１を装填し
　
　
第４　当審の判断　
１　訂正の目的について
（１）訂正事項１
　訂正事項１は、本件訂正前の請求項１に記載された「壁パネルの下端部の支持構造」における「スタータのバックアップ片と家屋構造部の間にバックアップ材を装填して成る」ことに限定するものであるから、特許法第１２６条第１項ただし書き第１号に規定する特許請求の範囲の減縮を目的とするものに該当する。
　
（２）訂正事項２について
　訂正事項２は、訂正事項１に係る訂正に伴い、【特許請求の範囲】の記載と【発明の詳細な説明】の記載との整合性を得るために、本件特許明細書の記載を訂正をするものであるから、特許法第１２６条第１項ただし書き第３号に規定する明りょうでない記載の釈明を目的とするものに該当する。
　
２　新規事項の追加の有無について
　訂正事項１、２は、本件特許明細書の「・・・家屋構造部１２としての土台部１２ａの間に充填するコーキング剤１３をバックアップするバックアップ片１４とで構成している。」（段落【００１１】）や、「・・・スタータ１５のバックアップ片１４と土台部１２との間の奥に発泡ポリエチレン樹脂製のバックアップ材２１を装填してその前方にコーキング剤１３を充填してコーキング剤１３のバックアップを図るのである。・・・」（段落【００１２】）の記載、さらに【図１】からバックアップ片１４と土台部１２ａとの間にバックアップ材が挿入されていることが読み取れることからみて、本件特許明細書並びに図面に記載した事項の範囲内においてしたものであることは明らかである。
　したがって、訂正事項１，２は、特許法第１２６条第５項の規定に適合する。
　
３　特許請求の範囲の実質上の拡張・変更の存否について
　訂正事項１，２は、上記したように特許請求の範囲の減縮、または当該減縮に伴う明りょうでない記載の釈明を目的とするものであるから、これら訂正事項１，２によって、実質上特許請求の範囲が拡張されたり、変更されたりするものではないことも明らかである。
　
　したがって、訂正事項１，２は、特許法第１２６条第６項の規定に適合する。
　
４　独立特許要件について
　訂正事項１は、特許請求の範囲の減縮を目的とするものであるから、訂正後の請求項１に係る発明が、特許出願の際独立して特許を受けることができるかどうかについて検討する。
　
４−１　本件訂正発明
　本件訂正後の請求項１に係る発明（以下「本件訂正発明」という。）は、次のとおりのものである。
「壁パネルの上端部に嵌合凹部もしくは嵌合凸部の一方を形成するとともに下端部に嵌合凹部もしくは嵌合凸部の他方を形成し、壁パネルの下端に下位の壁パネルの上端部の表面部を覆う覆い片を垂下した壁パネルの下端部の支持構造であって、スタータを、覆い片の背部の凹所に係入する係入片と、凹所よりもパネル背方のパネル下端面を受ける受片と、受片より下方に垂下されて壁下地に取付ける取付け片と、取付け片より前方に延出されて覆い片の下端と家屋構造部との間に充填するコーキング剤をバックアップするバックアップ片とで構成し、壁下地にスタータを取付け、スタータの受片にて壁パネルの下端部を支持し、スタータのバックアップ片と家屋構造部との間にバックアップ材を装填して成ることを特徴とする壁パネルの下端部の支持構造。」
　
４−２　刊行物
　請求人が審判請求書において提示し、本件特許の出願前に頒布された刊行物は、以下のとおりである。
　刊行物１：実用新案登録第２５５１４２１号公報
　刊行物２：実願平３−１０２１８７号（実開平５−４９９０９号）のＣＤ−ＲＯＭ
　刊行物３：特開平９−６０１５２号公報
　
４−３　刊行物の記載事項
（１）刊行物１
　下線は当審で付与した。以下同様。
（１−１）「【０００１】
【産業上の利用分野】本考案は、土台または窓上胴縁に対し外壁パネルの下端縁を水切りおよびスタータを介して取付ける外壁パネルの取付構造に関する。
　
（１−２）
「【０００５】
【課題を解決するための手段】本考案は、図１に示すように
土台３
に取付けられる外壁パネル１の下端縁にパネル厚方向に凹溝１２を介して相対向する内外凸部１１・１０を設けており、該外壁パネル１の下端縁と基礎２
との間に、水切り４とスタータ５が介装されている外壁パネルの取付構造
水切り４が、
固定部１３と、該固定部１３の下端から前向きに連設され、基礎２
の上面側を覆う傾斜面部１４と、該傾斜面部１４の前端から下向きに連設され
垂直面部１５とを有
スタータ５は、前記固定部１３の前面に重合されて土台３
前面に前記止具１６で共締めされる固定部１７と、該固定部１７の上端から前向きに連設され、前記内凸部１１の下端が載置される載置部１９と、該載置部１９の前端から上向きに連設され、凹溝１２に
嵌合する保持部２０と、固定部１７の下端から前向きに連設された傾斜面部２１と、該傾斜面部２１の前端から下向きに連設され、前記外凸部１０の内奥で前記傾斜面部１４の上面に対しその下端縁が当接または近接する水返し部２２とを有
上記水返し部２２の前面と水切り４の傾斜面部１４とが出合う隅部にバックアップ材２６を入れたうえで、該バックアップ材２６の前面側で外凸部１０の下端と傾斜面部１４との対向面間にコーキング材２５を充填
【０００６】
【作用】
外壁パネル１の下端縁と水切り４の傾斜面部１４との間の間隙から吹き込む雨水は、スタータ５の水返し部２２でこれより内部へ浸入するのを阻止され、
バックアップ材２６を使用してコーキング材２５はこれの上下２面のみを接着するので、その３面接着でみられるような伸縮による割れ等がなく、外凸部１０の下端と傾斜面部１４との間の防水機能を完全に長期にわたって維持できる
　
（１−３）「【０００７】
【実施例】本考案の一実施例を図１に基づいて説明する。図１は外壁パネル１の下端縁の土台３への取付構造の縦断面図を示す。外壁パネル１の下端縁は、基礎２上の土台３の前面側に水切り４およびスタータ５を介して取付けられている。外壁パネル１は、互いに合わされる四角形状の鋼板等からなる表面板６と裏面板７との間に、硬質のポリウレタンフォーム等の断熱材９をサントイッチした構造である。この外壁パネル１の下端縁にはパネル厚方向に所定間隔をおいて相対向する長い外凸部１０と短い内凸部１１とを設けるとともに、内外凸部１１・１０間に凹溝１２を設けている。外凸部１０の根元部１０ａは厚く形成することにより外凸部１０の強度を高めている。
【０００８】（省略）
【０００９】スタータ５も、水切り４と同様にこれ全体が鋼板等で一体形成され、外壁パネル１を建込む前に水切り４の固定部１３の前面側に重合されて土台３にセルフドリルビス等の止具１６で前記固定部１３と共締めされる固定部１７と、該固定部１７の上端から前向きに連設された載置部１９と、該載置部１９の前端から上向きに連設された断面Ｌ形状の保持部２０と、固定部１７の下端から前向きに連設された傾斜面部２１と、該傾斜面部２１の前端から下向きに連設された水返し部２２とからなる。水返し部２２の下端縁は外壁パネル１の外凸部１０の内奥で水切り４の傾斜面部１４の上面に対し線接触状に当接する。このスタータ５の傾斜面部２１および水返し部２２と、水切り４の固定部１３および傾斜面部１４との間には、空間２３を形成する。
【００１０】このようにスタータ５を土台３に止具１６で取付けた後、外壁パネル１はこれの下端縁の内凸部１１をスタータ５の載置部１９の上に載置して保持部２０と水切り４の固定部１３の上部との間に嵌合し、凹溝１２を保持部２０に防水パッキン２４を介して嵌合させることによりスタータ５上に保持固定される。この状態では、断面Ｌ形の保持部２０の折曲上端部２０ａが凹溝１２に確りと嵌まり込むとともに、内凸部１１を載置部１９で受け止め支持するので、外壁パネル１ががたつくことなく安定よく確実に保持固定される。
【００１１】（省略）
【００１２】（省略）
【００１３】この土台回りの雨仕舞効果をより一層高めるには、外壁パネル１の外凸部１０の下端と水切り４の傾斜面部１４との間の空隙内にはコーキング材２５を充填する。この場合、コーキング材２５は３面接着にするとその伸縮により割れ易いので、ゴム等のバックアップ材２６を使用してコーキング材２５の上下２面のみを接着することが望ましい。そのためにバックアップ材２６は水返し部２２の前面と傾斜面部１４の出合う隅部に入れる。かくしてバックアップ材２６の前面と外凸部１０の下端と傾斜面部１４とで形成される空間にコーキング材２５を充填する。
　
（１−４）これらの記載事項からみて、刊行物１には以下の発明（以下「刊行物１発明」という。）が記載されている。
「土台３に取付けられる外壁パネル１の下端縁にパネル厚方向に凹溝１２を介して相対向する内凸部１１と外凸部１０を設けており、該外壁パネル１の下端縁と基礎２との間に、水切り４とスタータ５が介装されている、外壁パネルの取付構造において、
　水切り４が、固定部１３と、該固定部１３の下端から前向きに連設され、基礎２の上面側を覆う傾斜面部１４と、該傾斜面部１４の前端から下向きに連設された垂直面部１５とを有し、
　スタータ５は、前記固定部１３の前面に重合されて土台３の前面に止具１６で共締めされる固定部１７と、該固定部１７の上端から前向きに連設され、前記内凸部１１の下端が載置される載置部１９と、該載置部１９の前端から上向きに連設され、凹溝１２に嵌合する保持部２０と、固定部１７の下端から前向きに連設された傾斜面部２１と、該傾斜面部２１の前端から下向きに連設され、前記外凸部１０の内奥で前記傾斜面部１４の上面に対しその下端縁が当接または近接する水返し部２２とを有しており、
　上記水返し部２２の前面と水切り４の傾斜面部１４とが出合う隅部にバックアップ材２６を入れたうえで、該バックアップ材２６の前面側で外凸部１０の下端と傾斜面部１４との対向面間にコーキング材２５を充填することにより、
　外壁パネル１の下端縁と水切り４の傾斜面部１４との間の間隙から吹き込む雨水は、スタータ５の水返し部２２でこれより内部へ浸入するのを阻止され、バックアップ材２６を使用してコーキング材２５はこれの上下２面のみを接着するので、その３面接着でみられるような伸縮による割れ等がなく、外凸部１０の下端と傾斜面部１４との間の防水機能を完全に長期にわたって維持できる、外壁パネルの取付構造。」
　
（２）刊行物２
（２−１）「【考案の詳細な説明】
　　　【０００１】
　　【産業上の利用分野】
　本考案は、壁体を基礎上に設ける壁体の取付構造に係り、詳しくは、基礎上に設けた雨押えにより壁体の下端縁を保持するようにした壁体の取付構造に関するものである。」
　
（２−２）「【０００８】
　　【実施例】
　本考案の一実施例について図１ないし図４に基づいて説明すれば、以下の通りである。
　　　【０００９】
　図２に示すように、
壁体としての外壁１は、横向きに配された長尺の外壁パネル２…が互いに接合されることで形成されている
外壁１は、下端縁が鋼材４に取り付けられた雨押え６により保持されている
　　　【００１０】
　図３に示すように、外壁１を構成する
外壁パネル２は
断熱材７を外側の外皮材８と内側の外皮材９とで挟み込む構造になっている
一方の端縁に凹部１０が形成され、他方の端縁に凹部１０に嵌合する凸部１１が形成されている
　　　【００１１】
　凹部１０は、外皮材８・９の端部が内側に折り曲げられてなる壁部１２・１３と、段付部１４・１５と、断熱材７の露出端とからなっている。この凹部１０の内底部には、パッキン１６が設けられている。また、外壁パネル２の凹部１０側の端部における外皮材８側には、外皮材８の端面より内側に入り込んで形成され、後述するエプロン部２１があてがわれる段差部１３が設けられている。
　　　【００１２】
　
凸部１１は、外皮材８・９の端部が内側に折り曲げられてなる壁部１７・１８と、断熱材７の露出端とからなっている
壁部１７の外側には、溝部１９が形成され
溝部１９の外側には、凸部１１の下端より下方に延びるエプロン部２１が設けられている
　　　【００１３】
　図４に示すように、
上記外壁パネル２（２−１）は、その凸部１１と、同図中の下側に隣接する外壁パネル２（２−２）の凹部１０と
　　　【００１４】
　このような接合構造においては、
エプロン部２１によりタッピンねじ２２の頭部が被い隠されるようになっている
　　　【００１５】
　続いて、雨押え６について説明する。
　　　【００１６】
　図１に示すように、
雨押え６は、固定部２３と、載置部２４と、保持部２５と、傾斜部２６と、袴部２７とからなっており
固定部２３は、鋼材４の外側の側壁にタッピンねじ２８により固定されるようになっている
この固定部２３の上端からは、水平に外方へ延びる載置部２４が設けられている
載置部２４の外端から上向きに設けられる保持部２５は、上部が外側へ湾曲状に曲げられている
　　　【００１７】
　
一方、固定部２３の下端からは、基礎３上をわずかに下り傾斜に外方へ延びる傾斜部２６が設けられ、この傾斜部２６の外端から下方に袴部２７が設けられている
　　　【００１８】
　
外壁１の最下段に位置する外壁パネル２は、凸部１１の先端が上記載置部２４上に載置されるとともに、溝部１９に上記保持部２５が差し入れられて、所定位置に保持されている
外壁パネル２のエプロン部２１は、固定部
　　　【００１９】
　上記のように構成される外壁１の取付構造では、
雨押え６が外壁パネル２を基礎３上で所定の位置に保持する構造を有しているので、雨押え６の取り付けが容易になり、作業性を向上させることができる
　
（２−３）「【００２０】
　　【考案の効果】
　本考案の壁体の取付構造は、以上のように、壁体の下端縁と基礎との間に介装される雨押えが、上記壁体の下端縁に設けられた溝部に差し入れられてその下端縁を所定位置に保持する保持部を有している構成である。
　　　【００２１】
　これにより、
壁体を保持するための部材を雨押えと別途用意する必要がなくなり、雨押えの取り付けを容易に行うことが可能になる
　
（３）刊行物３
（３−１）「【０００１】
【産業上の利用分野】本発明は建築、
構築物の
外壁材
　
（３−２）「【０００５】
【実施例】以下に図面を用いて、本発明に係る建築用パネルＡの一実施例について詳細に説明する。すなわち、建築用パネルＡは断面図である図１（ａ）、および図１（ａ）におけるイ部分の拡大図である図１（ｂ）に示すように、
表面材１と裏面材２で
芯材３を、サンドイッチした建築用パネルＡ
　
（３−３）「【００１３】また、建築用パネルＡの全体形状の例としては図３に示すように、
金属製長尺状の薄板からなる表面材１、裏面材２と幅方向の一端に形成した雄型連結部７、他端に形成した雌型連結部８
建築用パネルＡ同士の連結で生じる目地部に無機ボード１０、無機系パッキング材１１を介在
　
（３−４）【図３】をみると、建築用パネルＡの上端には、表面材１が無く、裏面側に一段下がった部分があり、また下端には、表面材１側に裏面材２側よりも下方に垂下した部分があって、上記（３−３）に記載されたように、建築用パネルＡ同士が連結した場合、建築用パネルＡの上端の上記一段下がった部分の表面側に、同じく下端の上記下方に垂下した部分が重なることは、当業者には自明の事項である。
　
４−４　対比
　本件訂正発明と刊行物１発明とを対比する。
（１）刊行物１発明の「外壁パネル１」，「内凸部１１」，「外凸部１０」，「凹溝１２」，「内凸部１１の下端」，「スタータ５」，「保持部２０」，「載置部１９」，「固定部１７」，「コーキング材２５」，「バックアップ材２６」，「土台３」及び「基礎２」が、それぞれ本件訂正発明の「壁パネル」，「嵌合凸部」，「覆い片」，「凹所」，「パネル下端面」，「スタータ」，「係入片」，「受片」，「取付け片」，「コーキング剤」，「バックアップ材」，「壁下地」及び「家屋構造部」に相当する。
　
（２）刊行物１発明の「外壁パネル１の下端縁に」「内凸部１１」を設けた構成と、本件訂正発明の「壁パネルの上端部に嵌合凹部もしくは嵌合凸部の一方を形成するとともに下端部に嵌合凹部もしくは嵌合凸部の他方を形成した」構成とは、「壁パネルの下端部に嵌合凸部を形成した」構成で共通している。
　また、刊行物１発明の「外壁パネル１の下端縁に」設けた「外凸部１０」と、本件訂正発明の「壁パネルの下端に下位の壁パネルの上端部の表面部を覆う覆い片」とは、「壁パネルの下端に設けた覆い片」で共通する。
　
（３）刊行物１発明の「外壁パネル１の下端縁と基礎２との間に、水切り４とスタータ５が介装されている、外壁パネルの取付構造」は、本件訂正発明の「壁パネルの下端部の支持構造」に相当する。
　
（４）刊行物１発明の「内凸部１１と外凸部１０」は、「凹溝１２」を介して相対向するので、「外凸部１０」の背部に「凹溝１２」が位置し、さらに「凹溝１２」の背方に「内凸部１１」が位置するといえる。
　そうすると、刊行物１発明の「載置部１９の前端から上向きに連接され、凹溝１２に嵌合する保持部２０」は、本件訂正発明の「覆い片の背部の凹所に係入する係止片」に相当し、同じく「固定部１７の上端から前向きに連接され、前記内凸部１１の下端が載置される載置部１９」は、「凹所よりもパネル背方のパネル下端面を受ける受片」に相当する。
　また、刊行物１において、「載置部１９」が「固定部１７の上端から前向きに連接され」たことは、逆にいえば「固定部１７」は「載置部１９」より下方に垂下されたことになるので、刊行物１発明の「載置部１９」より下方に垂下され、「土台３の前面に止具１６で共締めされる固定部１７」は、本件訂正発明の「受片より下方に垂下されて壁下地に取付ける取付け片」に相当する。
　
（５）刊行物１発明の「スタータ５」の「固定部１７」が「前記固定部１３の前面に重合されて土台３の前面に止具１６で共締めされる」構成は、本件訂正発明の「壁下地にスタータを取付け」た構成に相当し、同じく「スタータ５」の「載置部１９」に「前記内凸部１１の下端が載置される」構成は、「スタータの受片にて壁パネルの下端部を支持」する構成に相当する。
　
（６）上記（１）ないし（５）からみて、本件訂正発明と刊行物１発明とは、以下の一致点で一致し、相違点１〜３で相違している。
〔一致点〕
　壁パネルの下端部に嵌合凸部を形成し、壁パネルの下端に覆い片を垂下した壁パネルの下端部の支持構造であって、スタータを、覆い片の背部の凹所に係入する係入片と、凹所よりもパネル背方のパネル下端面を受ける受片と、受片より下方に垂下されて壁下地に取付ける取付け片と、で構成し、壁下地にスタータを取付け、スタータの受片にて壁パネルの下端部を支持し、て成る壁パネルの下端部の支持構造。
　
〔相違点１〕本件訂正発明は、壁パネルの上端部に嵌合凹部もしくは嵌合凸部の一方を形成するとともに下端部に嵌合凹部もしくは嵌合凸部の他方を形成し、壁パネルの下端に下位の壁パネルの上端部の表面部を覆う覆い片を垂下するのに対し、刊行物１発明は、外壁パネル１の下端縁に内凸部１１を形成しているが、外壁パネル１の上端部に嵌合凹部を形成したかどうか不明であって、かつ外凸部１０が下位の外壁パネル１の上端部の表面部を覆うかどうか不明である点。
　
〔相違点２〕本件訂正発明のスタータは、取付け片より前方に延出されてコーキング剤をバックアップするバックアップ片を備えるのに対し、刊行物１発明のスタータ５は、固定部１７の下端から前向きに連接された傾斜面部２１と、該傾斜面部２１の前端から下方に連接された水返し部２２を備えているが、当該傾斜面部２１と水返し部２２が、コーキング材２５をバックアップしているかどうか不明な点。
　
〔相違点３〕本件訂正発明において、コーキング剤は、覆い片の下端と家屋構造部との間に充填され、バックアップ材は、スタータのバックアップ片と家屋構造部との間に装填して成るのに対し、刊行物１発明において、コーキング材２５は、外凸部１０の下端と水切り４の傾斜面部１４との対向面に充填され、バックアップ材２６は、傾斜面部２１の前端から下方に連接された水返し部２２の前面と水切り４の傾斜面部１４とが出会う隅部に入れており、コーキング材とバックアップ材の位置が、本件訂正発明と相違している点。
　
４−５　判断
　上記相違点１〜３について検討する。
（１）相違点１
　壁パネルの上端部に嵌合凹部もしくは嵌合凸部の一方を形成するとともに下端部に嵌合凹部もしくは嵌合凸部の他方を形成し、壁パネルの下端部に下位の壁パネルの上端部の表面部を覆う覆い片を垂下することは、刊行物２の段落【０００９】〜【００１８】（上記（２−２）参照。）や、刊行物３の段落【０００５】，【００１３】及び【図３】（上記（３−２）〜（３−４）参照。）に記載されているように、本件出願前に、壁パネルの分野において周知の技術であるから、刊行物１発明の壁パネルの上端部及び下端部に、上記周知の技術を適用して、相違点１に係る本件訂正発明の構成とすることは、当業者が容易に成し得た程度のことと認める。
　
（２）相違点２
（２−１）まず、本件特許請求の範囲の請求項１の記載において、「バックアップ材」が「コーキング剤をバックアップする」ことの意味について検討する。
　同請求項の記載において、バックアップ材が、バックアップ片と家屋構造部との間に装填したものであること、及びコーキング剤が、壁パネルの覆い片の下端と家屋構造部との間に充填しているものであることは文理上明らかであるから、同請求項に係る本件訂正発明において、「バックアップ片」が「コーキング剤をバックアップする」ことは、バックアップ材を介して、間接的にコーキング剤をバックアップするものを意味することが明白である。　
　
（２−２）そして念のため、本件特許明細書の記載についても確認すると、段落【００１１】及び【００１２】には以下の記載がある。
「【００１１】・・・覆い片３の下端と家屋構造部１２としての土台部１２ａの間に充填するコーキング剤１３をバックアップするバックアップ片１４とで構成している。
【００１２】・・・スタータ１５のバックアップ片１４と土台部１２との間の奥に発泡ポリエチレン樹脂製のバックアップ材２１を装填してその前方にコーキング剤１３を充填してコーキング剤１３のバックアップを図るのである。・・・」
　また本件特許の図面（【図１】）をみると、バックアップ片１４と土台部１２ａとの間にバックアップ材２１が位置し、さらにバックアップ材２１の前面にコーキング剤１３が位置しているが、バックアップ片１４は、コーキング剤１３に直接接触していない。
　段落【００１１】及び【００１２】の記載と図１の開示事項とを併せてみると、バックアップ片１４によるコーキング剤１３に対するバックアップについては、バックアップ材を介した間接的なバックアップも含まれるものと解することができる。
　
（２−３）これに対し、刊行物１発明の水返し部２２は、その水返し部２２の前面と水切り４の傾斜面部１４とが出合う隅部にバックアップ材２６を入れたうえで、該バックアップ材２６の前面側にコーキング材を充填することにより、コーキング材２５はこれの上下２面のみを接着するので、その３面接着でみられるような伸縮による割れ等がなく、外凸部１０の下端と傾斜面部１４との間の防水機能を完全に長期にわたって維持できるものである。
　そうすると、刊行物１発明のバックアップ材２６は、コーキング材２５をバックアップしていることは明らかであって、さらに水返し部２２は、バックアップ材２６を介してコーキング材２５を間接的にバックアップしているともいえる。
　
（２−４）以上のことから、刊行物１発明のスタータ５の水返し部２２は、コーキング材２５をバックアップしているといえるので、スタータ５の固定部１７の下端から前向きに連接された傾斜面部２１と、該傾斜面部２１の前端から下向きに連接された水返し部２２は、本件訂正発明の「取付け片より前方に延出されてコーキング剤をバックアップするバックアップ片」に実質的に相当するものである。
　したがって、相違点２に係る構成は、実質的な相違点ではない。
　
（３）相違点３
　刊行物１発明において、コーキング材２５及びバックアップ材２６は、共に水切り４の傾斜面部１４上に位置している。さらに傾斜面部１４は、基礎２上に位置しているので、水切り４全体または傾斜面部１４のみを省けば、コーキング材２５並びにバックアップ材２６は基礎２上に位置するものとなる。　
　しかしながら、刊行物１発明において、水切り４を省略する動機付けが存在しないことから、刊行物１発明から、水切り４全体または傾斜面部１４のみを省くことによって、コーキング材２５並びにバックアップ材２６を基礎２上に位置するものとすることは、当業者が容易に成し得たとすることはできない。
　
　さらに、刊行物１発明において、水返し部２２は、傾斜面部２１の前端から下向きに連設して、水切り４の傾斜面部１４の上面に対しその下端縁が当接または近接することにより、外壁パネル１の下端縁と水切り４の傾斜面部１４との間の間隙から吹き込む雨水が、スタータ５の水返し部２２でこれより内部へ浸入するのを阻止されるものであるから、傾斜面部２１の前端から下向きに連接する水返し部２２を、前方に延出しているものに替え、傾斜面部１４の上面に対しその下端縁が当接または近接させることなく、バックアップ材２６の上面に位置するものとすることは、当業者が容易に成し得たとすることはできない。
　
　なお、刊行物２には、本件訂正発明のスタータに相当する雨押さえ６が記載されているものの、コーキング剤並びにバックアップ材に相当するものは記載されておらず、また刊行物３には、本件訂正発明のスタータ，コーキング剤並びにバックアップ材に相当するものは記載されていないことから、刊行物２ないし刊行物３に当業者が接したとしても、相違点３に係る本件訂正発明の構成を当業者が着想し得たものではない。
　
（４）以上のとおりであるから、本件訂正発明は、相違点３が存在する以上、刊行物１ないし３に記載された発明、及び周知の技術に基いて、当業者が容易に発明をすることができたものではない。
　
４−６　独立特許要件についてのまとめ
　以上のとおり、本件訂正発明は、刊行物１ないし３に記載された発明、及び周知の技術に基いて、当業者が容易に発明をすることができたものではなく、また本件訂正発明が、独立して特許を受けることができないとするその他の理由も見いだせない。
　
　したがって、本件訂正発明は、特許出願の際に独立して特許を受けることができない発明とすることはできないから、本件訂正は、特許法第１２６条第７項の規定に適合するものである。
　
　
第５　むすび
　以上のとおり、本件訂正審判の請求に係る訂正は、特許法第１２６条第１項ただし書第１号及び第３号に掲げる事項を目的とし、かつ、同条第５項ないし第７項の規定に適合するので、当該訂正を認める。
　
　よって、結論のとおり審決する。